(57)【要約】【課題】  ホッパーに投入されたコインが、底壁上を滑降してある程度の重なり状態を解消した後に、順次遮蔽部から排出口の前部に落下するため、コインは、回転部材の下方に位置する嵌合孔に優先的に嵌合し、その状態で回転部材の回転に伴って、比較的短い搬送時間で放出口から外部に放出することができるコインホッパーを提供する。【解決手段】  ホッパーは、周壁と、後方から前方に下り傾斜した底壁と、上方に開口したコインの投入口とを有する有底の箱形状を成し、前記底壁には、滑降部分と前記底壁の最下部に形成された下方に突出した排出口と、前記滑降部分の前部延設され、前記排出口の上方略半径分を遮蔽する遮蔽部を設けた。【選択図】図５
2008000569.tif 000002
【特許請求の範囲】
【請求項１】
コインを貯留したホッパーと、嵌合孔を形成した回転部材と、駆動機構を有する送出機構とを備え、前記駆動機構の回転により回転部材を回転させ、該回転部材の嵌合孔に嵌合したコインを外部に送出させたコインホッパーにおいて、前記ホッパーは、周壁と、後方から前方に下り傾斜した底壁と、上方に開口したコインの投入口とを有する有底の箱形状を成し、前記底壁に、滑降部分と前記底壁の最下部に形成された下方に突出した排出口と、前記滑降部分の前部に延設され、前記排出口の上方略半径分を遮蔽する遮蔽部を設けた
ことを特徴とするコインホッパー。
【請求項２】
前記遮蔽部は、前記排出口の上方で上下方向に振幅可能に形成された
ことを特徴とする請求項１項記載のコインホッパー。
【発明の詳細な説明】
【技術分野】
【０００１】  本発明は、コインホッパー、特に遊技媒体としてコイン（コイン、メダル、トークン等）を用いて遊技を実行する遊技機に用いられるコインホッパーに関する。
【背景技術】
【０００２】  遊技媒体としてコイン（コイン、メダル、トークン等）を使用して遊技を実行する遊技機に用いられ、コインを一枚毎に送出するコインホッパーは、特開平７−８５３３３号「ホッパー装置」で開示されている。（特許文献１）この「ホッパー装置」に開示されている構成は、コイン３（以下、符号は、特許文献１に用いられている符号を指す。）を内部に無秩序な状態で多数集積するバスケット２と、上部にこのバスケット２を取り付け、該バスケット２の底部に設けられた供給口４から投入されたコイン３を一定姿勢にして１枚ずつ投出するコイン投出部５とを備えている。そして、このコイン投出部５は、基台８、傾斜基板９、回転板１１（本件発明の回転ディスクに相当）等から構成されている。このために、供給口４から投入されたコイン３は、基台８、傾斜基板９、回転板１１（本件発明の回転ディスクに相当）の傾斜に沿って、回転板１１（本件発明の回転ディスクに相当）の下方から順次無秩序にバスケット２内に積み重ねられ、その状態のまま、回転板１１（本件発明の回転ディスクに相当）の回転により一枚毎に基台８の斜め上方に形成されているコイン投出路１７に搬送され、そこから外部に送出するものである。【０００３】  しかしながら、上述した従来技術では、供給口４から投入されたコイン３は、バスケット２内で前述の回転板１１（本件発明の回転ディスクに相当）の上面を覆うようにして多数積み重ねられていくため、回転板１１（本件発明の回転ディスクに相当）に形成された開口３４に入りかけたコインが積み重ねられている他のコインの押されて、回転板１１（本件発明の回転ディスクに相当）と傾斜基板９に取り付けられた円板２３との間の隙間の押し込まれて回転板１１（本件発明の回転ディスクに相当）の回転を阻害する恐れがあった。また、回転板１１（本件発明の回転ディスクに相当）上部で開口３４に嵌合したコイン３は、回転板１１の回転に伴って、半周以上回転してコイン投出路１７に至る。このためコイン３外部に送出されるまでに時間を要していた。また、この搬送の間は、開口３４にコイン３が嵌合しているためにバスケット２内に積み重ねられている他のコインが、開口３４に嵌合されることがないので結果的に他のコインは、送出されることなく回転板１１（本件発明の回転ディスクに相当）の下方に滞留してしまい、全体的に効率良くコインを送出することが困難であった。【０００４】
【特許文献１】  特開平７−８５３３３号公報
【発明の開示】
【発明が解決しようとする課題】
【０００５】  本発明は、コインを貯留したホッパーと、嵌合孔を形成した回転部材と、駆動機構を有する送出機構とを備え、前記駆動機構の回転により回転部材を回転させ、該回転部材の嵌合孔に嵌合したコインを外部に送出させたコインホッパーにおいて、前記ホッパーは、周壁と、後方から前方に下り傾斜した底壁と、上方に開口したコインの投入口とを有する有底の箱形状を成し、前記底壁に、滑降部分と前記底壁の最下部に形成された下方に突出した排出口と、前記滑降部分の前部に延設され、前記排出口の上方略半径分を遮蔽する遮蔽部を設けたことによって、ホッパーに投入されたコインは、底壁上を滑降してある程度の重なり状態を解消した後に、順次遮蔽部から排出口の前部に落下するため、コインが回転部材の下側に押し込まれることもなく、しかも、回転部材の下方に位置する嵌合孔に優先的に嵌合し、その状態でコインは回転部材の回転に伴って、比較的短い搬送時間で放出口から外部に放出することができるコインホッパーを提供することを目的とする。
【課題を解決するための手段】
【０００６】  この目的を達成するため、本発明のコインホッパーは、コインを貯留したホッパーと、嵌合孔を形成した回転部材と、駆動機構を有する送出機構とを備え、前記駆動機構の回転により回転部材を回転させ、該回転部材の嵌合孔に嵌合したコインを外部に送出させたコインホッパーにおいて、前記ホッパーは、周壁と、後方から前方に下り傾斜した底壁と、上方に開口したコインの投入口とを有する有底の箱形状を成し、前記底壁に、滑降部分と前記底壁の最下部に形成された下方に突出した排出口と、前記滑降部分の前部延設され、前記排出口の上方略半径分を遮蔽する遮蔽部を設けたものである。【０００７】  このことにより、コインホッパーに投入されたコインは、ホッパーの投入口から内部に投入された後に、底壁上を滑降していく、そして、その間にコインの重なり状態をある程度解消し、その後に遮蔽部から順次排出口の前部に落下するため、コインは、回転部材の下側に押し込まれることもなく、しかも、回転部材の下方に位置する嵌合孔に優先的に嵌合し、その状態で回転部材の回転に伴って、比較的短い搬送時間で放出口から外部に放出されるので効率的にコインを搬送送出することができる。【０００８】  次の発明は、前記遮蔽部は、前記排出口の上方で上下方向に振幅可能に形成されたものである。【０００９】  このことにより、排出口内で遮蔽部と回転ディスクとの間にコインが詰まった場合、該排出口上方の遮蔽部が変形して回転ディスクとコインとの間に緩みをもたせることによって該コイン間にゆとりを持たせることにより、コインを移動させてその詰りを解消させることができる。
【発明の効果】
【００１０】  本発明は、コインを貯留したホッパーと、嵌合孔を形成した回転部材と、駆動機構を有する送出機構とを備え、前記駆動機構の回転により回転部材を回転させ、該回転部材の嵌合孔に嵌合したコインを外部に送出させたコインホッパーにおいて、前記ホッパーは、周壁と、後方から前方に下り傾斜した底壁と、上方に開口したコインの投入口とを有する有底の箱形状を成し、前記底壁に、滑降部分と前記底壁の最下部に形成された下方に突出した排出口と、前記滑降部分の前部に延設され、前記排出口の上方略半径分を遮蔽する遮蔽部を設けたことによって、コインホッパーに投入されたコインは、底壁上を滑降している間に、ある程度の重なり状態を解消した後に、順次遮蔽部から排出口の前部に落下するため、コインが回転部材の下側に押し込まれることもなく、しかも、回転部材の下方に位置する嵌合孔に優先的に嵌合し、その状態でコインは、回転部材の回転に伴って、比較的短い搬送時間で放出口から外部に搬送放出される。
【発明を実施するための最良の形態】
【００１１】  以下、本発明を実施するための最良の形態を、図面に基づいて説明する。図１は、本発明のコインホッパーを示した側面図、図２は、同正面図、図３は、同上面図、図４は、ホッパーの水平断面図、図５は、コインホッパーの概略斜視図である。【００１２】  本発明のコインホッパー１は、ホッパー１０と該ホッパー１０を載置する送出機構２０と該送出機構２０に回転可能に装着された回転ディスク３０と回転ディスク３０を回転させる駆動機構であるモータ４０とを備えている。【００１３】  ホッパー１０は、送出装置２０に取外し可能に取り付けられており、前壁１１（図１において右側）と後壁１２（図１において左側）と両側壁１３とよりなる周壁（前壁１１、後壁１２、両側壁１３）と、後壁１２側から前壁１１側方向に下り勾配を成している底壁１４を有する全体的に有底の箱形形状に形成されている。そして、上部には、上方に開口したコイン６０（コイン、メダル、トークン等を含む）の投入口１６が形成されている。そして、この底壁１４の最下位部には、（前壁１１側下部）、下方にリング状に突出したコイン６０の排出口１７が形成されている。尚、前方、後方とは、送出機構２０の低い壁側を前方、高い壁側を後方とする。（図１の紙面において右側を前方、左側を後方とする。）【００１４】  更に、ホッパー１０の後壁１２側から前壁１１側方向に下り勾配を成している底壁１４の最下位部、即ち、前壁１１側の下部に相当する部分には、下方に突出したリング状のコイン６０の排出口１７が形成されている。そして、底壁１４の表面（ホッパー１０の内側）には、コイン６０の滑降部分が、後壁１２側から前壁１１方向にかけて排出口１７の略半径分までに至る範囲に形成されている。この滑降部分は、排出口１７の円弧に沿って形成された円弧溝１４３を境界として、滑降部１４１と遮蔽部１５とに分割されていて、それらは、連接橋１４２で接続されている。そして、この滑降部分の全体に亘って、勾配に沿って複数本の突条部が幅方向に間隔をおいて突設されている。一方、前述の遮蔽部１５は、排出口１７の庇になるように排出口１７の略半径分まで延設されている。即ち、排出口１７の上方で排出口１７の略半径分を覆うように形成されている。【００１５】  この遮蔽部１５は、底壁１４の内側表面に形成された滑降部１４１の中央部分で連接橋１４３によって接続されている。すなわち、その連接橋１４３の両側は、円弧溝１４３として形成されている。したがって、遮蔽部１５は、円弧溝１４３で画成されている。このため、この遮蔽部１５は、滑降部１４１の先端部分に円弧溝１４３によって画成されているにで、連接橋１４３の中央近傍を支点として上下方向に振幅する。尚、この円弧溝１４３の曲率半径は、排出口１７の曲率半径と略一致するもので、排出口１７の円周の上方に排出口１７の円弧と平行に沿って形成されている。また、遮蔽部１５が上下方向に（図４矢印方向）に振幅するように両側に円弧溝１４３を形成して、滑降部１４１と遮蔽部１５との接続部分で遮蔽部１５の振幅を可能としているが、形状は、円弧とは限定されることはなく、直線の溝でも良い。また、遮蔽部１５を弾性体で形成して、その部分が振幅するように形成しても良い��ようするに、ホッパー１０の内部にコインが詰まったときに遮蔽部１５が上下方向（図４矢印方向）に変形して、その目詰まり状態を解消することができる構成であれば良い。【００１６】  送出機構２０は、前壁２１と該前壁２１より高い後壁２２と両壁を繋いでいる側壁２３とで周壁（前壁２１、後壁２２、側壁２３）を形成した全体として略台形箱状を成している。そして、この上面には、後壁２２から前壁２１にかけて下り勾配した傾斜面２４が形成されている。この傾斜面２４には、円形凹部２５１を有するベース２５が固定されている。また、略台形箱状の内部には駆動機構である減速機構付のモータ４０が配設されている。このモータ４０の回転軸４１は、ベース２５の円形凹部２５１の内部まで貫通されている。【００１７】  回転ディスク３０は、円板形状を成し、中央に軸孔を形成するとともにこの軸孔を中心として、円周に沿って複数のコインを嵌合するための嵌合孔３１が設けられている。そして、スペーサ３２を介してベース２５の円形凹部２５１内に貫通されているモータ４０の回転軸４１に軸止されている。従って、円形凹部２５１と回転ディスク３０との間には、スペーサ３２の板厚分の隙間が形成されている。そして、コイン６０は、嵌合孔３１からスペーサ３２によって、円形凹部２４１と回転ディスク３０との間に形成された隙間に嵌合され、回転ディスク３０の下面に突設したピン（図示しない）等任意の方法で放出口２６まで搬送され、その後、外部に送出される。【００１８】  駆動機構であるモータ４０は、送出機構２０の傾斜面２４から回転軸４１をベース２５の円形凹部２５１内に貫通するようにして箱状内部に配設されている。そして、回転軸４１の先端には、回転ディスク３０が軸止される。そして、このモータ４０の回転により、回転ディスク３０を回転させている。【００１９】  また、前述のホッパー１０は、底壁１４に形成されたのリング状の排出口１７の円周下面を、上記の送出機構２０の傾斜面２４固定されたベース２５に当接するようにして任意の取り付け手段（スクリュー止め、フック等）により着脱可能に取り付けられている。【００２０】  ５０はオーバフロー通路であって、通路５１とその両端に各々係合部５２と嵌合口５３を設けており、ホッパー１０の前壁１１側内部に取り付けられている。即ち、断面コ字形状の係合部５２を側壁１３に係合させ、嵌合口５３を前壁１１に形成された吐出口１１１に嵌合させることによって通路５１を側壁１３と前壁１１との間に懸架させている。このオーバフロー通路５０は、ホッパー１０に大量のコイン６０が流入し、ホッパー１０からコイン６０が溢れるような状態になったときに、コイン６０をこのオーバフロー通路５０から外部の貯留タンク（図示しない）などに吐き出すためのものである。【００２１】  このような構成を備えた本発明のコインホッパー１に、そのホッパー１０からコイン６０を投入すると、投入されたコイン６０は、底壁１４の滑降部１４１上を滑降し、遮蔽部１５から排出口１７内に投下される。投下されたコイン６０は、排出口１７を通過して回転ディスク３０の下方部分に投入される。回転ディスク３０の下側部分に投入されたコイン６０は、回転ディスク３０の円周上に��成された複数の嵌合孔３１の内下方に位置する嵌合孔３１に優先的に嵌合される。嵌合孔３１に嵌合されたコイン６０は、スペーサ３２により円形凹部２５１と回転ディスク３０との間に形成された隙間に嵌合され、回転ディスク３０の下面に突設したピン（図示しない）等任意の方法でガイドされ、回転ディスク３０の回転に伴って移動して放出口２６まで搬送され、そこから外部に送出される。
【図面の簡単な説明】
【００２２】
【図１】  本発明のコインホッパーを示した側面図である。
【図２】  同正面図である。
【図３】  同上面図である。
【図４】  ホッパーの水平断面図である。
【図５】  コインホッパーの概略斜視図である。
【符号の説明】
【００２３】  １  コインホッパー
１０  ホッパー
１１  前壁
１１１  吐出口
１２  後壁
１３  側壁
１４  底壁
１４１  滑降部
１４２  連接橋
１４３  円弧溝
１５  遮蔽部
１６  投入口
１７  排出口（ホッパーの）
２０  送出機構
２１  前壁
２２  後壁
２３  側壁
２４  傾斜面
２５  ベース
２５１  円形凹部
２６  放出口
３０  回転ディスク
３１  嵌合孔
３２  スペーサ
４０  駆動機構（モータ）
４１  回転軸
５０  オーバフロー通路
５１  通路
５２  係合部
５３  嵌合口
６０  コイン
【図１】
2008000569.tif 000003
【図２】
2008000569.tif 000004
【図３】
2008000569.tif 000005
【図４】
2008000569.tif 000006
【図５】
2008000569.tif 000007